(57)【要約】【課題】不織布シートに簡易な方法で種々の模様を施すことができる模様付き不織布シートの製造方法を提供する。【解決手段】不織布シート１０にウォータージェットを噴射して模様を形成する模様付き不織布シートの製造方法であって、網目状のネットシート１５と、このネットシート１５に積層され、不織布シート１０に形成される模様に対応した通水開口部１６ａを有する止水シート１６と、からなる積層シートに対して、積層シートの止水シート１６側から噴射されたウォータージェットが、通水開口部１６ａを通水して不織布シート１０に衝突することにより不織布シート１０に模様を形成することを特徴とする模様付き不織布シートの製造方法。【選択図】図２
2010168676.tif 000002
【特許請求の範囲】
【請求項１】
不織布シートにウォータージェットを噴射して模様を形成する模様付き不織布シートの製造方法であって、
網目状のネットシートと、このネットシートに積層され、前記不織布シートに形成される模様に対応した通水開口部を有する止水シートと、からなる積層シートに対して、
前記積層シートの前記止水シート側から噴射されたウォータージェットが、前記通水開口部を通水して前記不織布シートに衝突することにより前記不織布シートに模様を形成することを特徴とする模様付き不織布シートの製造方法。
【請求項２】
前記ネットシートを構成する線状部材は、その直径が０．５ｍｍ以下、隣接する線状部材の間隔が５ｍｍ以下、ウォータージェットの水圧が３０ｋｇ／ｃｍ２以下であることを特徴とする請求項１に記載の模様付き不織布シートの製造方法。
【請求項３】
前記ネットシートは、糸で構成されていることを特徴とする請求項１又は２に記載の模様付き不織布シートの製造方法。
【請求項４】
不織布シートにウォータージェットを噴射して模様を形成する模様付き不織布シートの製造方法であって、
網目状のネットシートと、このネットシートに積層され、前記不織布シートに形成される模様に対応した形状の止水シートと、からなる積層シートに対して、
前記積層シートの前記止水シート側から噴射されたウォータージェットが、前記止水シートにより止水されない領域を通水して前記不織布シートに衝突することにより前記不織布シートに模様を形成することを特徴とする模様付き不織布シートの製造方法。
【請求項５】
前記ネットシートを構成する線状部材は、その直径が０．５ｍｍ以下、隣接する線状部材の間隔が５ｍｍ以下、ウォータージェットの水圧が３０ｋｇ／ｃｍ２以下であることを特徴とする請求項４に記載の模様付き不織布シートの製造方法。
【請求項６】
前記ネットシートは、糸で構成されていることを特徴とする請求項４又は５に記載の模様付き不織布シートの製造方法。
【請求項７】
不織布シートにウォータージェットを噴射することにより模様を形成する不織布シートの模様形成装置であって、
網目状のネットシートと、このネットシートに積層され、前記不織布シートに形成される模様に対応した通水開口部を有する止水シートと、からなるループ形状の積層シートと、
前記積層シートにテンションを付与した状態で無端回動させる回動部と、
前記積層シートの下方に配置され、前記回動部により無端回動される前記積層シートの移動方向に不織布シートを搬送する搬送部と、
前記積層シートの前記止水シート側から前記通水開口部を介して前記搬送部上の前記不織布シートにウォータージェットを噴射するノズル部と、
を有する不織布シートの模様形成装置。
【請求項８】
前記搬送部は、網目状の搬送ネットを有しており、この搬送ネット上に前記不織布シートを載置したことを特徴とする請求項７に記載の不織布シートの模様形成装置。
【請求項９】
前記搬送部の下方に、前記搬送ネット上の前記不織布シートに噴射されたウォータージェットを吸引する吸引装置を設けたことを特徴とする請求項８に記載の不織布シートの模様形成装置。
【請求項１０】
前記回動部により無端回動される前記積層シートと、前記搬送部により搬送される前記不織布シートとの移動速度は同じであることを特徴とする請求項７乃至９のうちいずれか一つに記載の不織布シートの模様形成装置。
【請求項１１】
不織布シートにウォータージェットを噴射することにより模様を形成する不織布シートの模様形成装置であって、
網目状のネットシートと、このネットシートに積層され、前記不織布シートに形成される模様に対応した形状の止水シートと、からなる積層シートと、
前記積層シートにテンションを付与した状態で無端回動させる回動部と、
前記積層シートの下方に配置され、前記回動部により無端回動される前記積層シートの移動方向に不織布シートを搬送する搬送部と、
前記積層シートの前記止水シート側から前記通水開口部を介して前記搬送部上の前記不織布シートにウォータージェットを噴射するノズル部と、
を有する不織布シートの模様形成装置。
【請求項１２】
前記搬送部は、網目状の搬送ネットを有しており、この搬送ネット上に前記不織布シートを載置したことを特徴とする請求項１１に記載の不織布シートの模様形成装置。
【請求項１３】
前記搬送部の下方に、前記搬送ネット上の前記不織布シートに噴射されたウォータージェットを吸引する吸引装置を設けたことを特徴とする請求項１２に記載の不織布シートの模様形成装置。
【請求項１４】
前記回動部により無端回動される前記積層シートと、前記搬送部により搬送される前記不織布シートとの移動速度は同じであることを特徴とする請求項１１乃至１３のうちいずれか一つに記載の不織布シートの模様形成装置。
【発明の詳細な説明】
【技術分野】
【０００１】
本発明は、脱脂綿などの不織布の表面に凹部又は凸部により文字、図形、記号、模様などの模様を形成する模様付き不織布シートの製造方法及び不織布シートの模様形成装置に関する。
【背景技術】
【０００２】
従来、不織布シートに模様などの表示を施す方法としてエンボス（圧縮）加工、スパンレース（ウォータージェット）加工などが用いられていた。
【０００３】
例えば、特許文献１では熱エンボス装置により凹凸加工を施した一対のエンボスロールで不織布を圧接させて、不織布に凹凸表示を形成させる方法が開示されている。
【０００４】
また、特許文献２では、繊維ウエブ面を打撃するエネルギー量の異なる複数のノズル孔を配列した噴射ノズルユニットを用いて不織布シートの表面にウォータージェットを噴射させ、その配列に応じた表示を不織布シートの表面に施す方法が開示されている。
【先行技術文献】
【特許文献】
【０００５】
【特許文献１】特開２００７−００８１４５号公報
【特許文献２】特開２０００−１４４５６４号公報
【発明の概要】
【発明が解決しようとする課題】
【０００６】
しかしながら、上記特許文献１では、不織布の繊維が圧接されるため、不織布本来の優れた吸湿性、吸水性、及び保水性を保つのが困難であった。また、ローラーの凹凸部に挟まれた不織布には局部的に大きな張力が掛かるため不織布の繊維が伸び強度が低下してしまう問題があった。
【０００７】
また、上記特許文献２では、複数のノズル孔が必要であるため、装置が大型化し、不織布シートに形成される模様に応じた形状のノズル孔を用いる必要があるため、製造コストが増大する。
【０００８】
そこで、本願発明は、不織布シートに簡易な方法で種々の模様を施すことができる模様付き不織布シートの製造方法及び不織布シートの模様形成装置を提供することを目的とする。
【課題を解決するための手段】
【０００９】
上記課題を解決するために、本願発明の模様付き不織布シートの製造方法は、一つの観点として、（１）不織布シートにウォータージェットを噴射して模様を形成する模様付き不織布シートの製造方法であって、網目状のネットシートと、このネットシートに積層され、前記不織布シートに形成される模様に対応した通水開口部を有する止水シートと、からなる積層シートに対して、前記積層シートの前記止水シート側から噴射されたウォータージェットが、前記通水開口部を通水して前記不織布シートに衝突することにより前記不織布シートに模様を形成することを特徴とする。
【００１０】
（２）（１）の構成において、前記ネットシートを構成する線状部材は、その直径が０．５ｍｍ以下、隣接する線状部材の間隔が５ｍｍ以下、ウォータージェットの水圧が３０ｋｇ／ｃｍ２以下に設定するのが好ましい。これにより、不織布シートにネットシートの模様が転写するのを抑制できる。
【００１１】
（３）（１）又は（２）の構成において、前記ネットシートは、糸で構成することができる。これにより、ネットシートを簡易かつ低コストで製造することができる。さらに、模様付き不織布シートを簡易かつ低コストで製造することができる。
【００１２】
（４）本願発明の模様付き不織布シートの製造方法は、別の観点として、不織布シートにウォータージェットを噴射して模様を形成する模様付き不織布シートの製造方法であって、網目状のネットシートと、このネットシートに積層され、前記不織布シートに形成される模様に対応した形状の止水シートと、からなる積層シートに対して、前記積層シートの前記止水シート側から噴射されたウォータージェットが、前記止水シートにより止水されない領域を通水して前記不織布シートに衝突することにより前記不織布シートに模様を形成することを特徴とする。
【００１３】
（５）（４）の構成において、前記ネットシートを構成する線状部材は、その直径が０．５ｍｍ以下、隣接する線状部材の間隔が５ｍｍ以下、ウォータージェットの水圧が３０ｋｇ／ｃｍ２以下に設定するのが好ましい。これにより、不織布シートにネットシートの模様が転写するのを抑制できる。
【００１４】
（６）（４）又は（５）の構成において、前記ネットシートは、糸で構成することができる。これにより、ネットシートを簡易かつ低コストで製造することができる。さらに、模様付き不織布シートを簡易かつ低コストで製造することができる。
【００１５】
本願発明の、不織布シートの模様形成装置は、一つの観点として、（７）不織布シートにウォータージェットを噴射することにより模様を形成する不織布シートの模様形成装置であって、網目状のネットシートと、このネットシートに積層され、前記不織布シートに形成される模様に対応した通水開口部を有する止水シートと、からなるループ形状の積層シートと、前記積層シートにテンションを付与した状態で無端回動させる回動部と、
前記積層シートの下方に配置され、前記回動部により無端回動される前記積層シートの移動方向に不織布シートを搬送する搬送部と、前記積層シートの前記止水シート側から前記通水開口部を介して前記搬送部上の前記不織布シートにウォータージェットを噴射するノズル部と、を有する。
【００１６】
（８）（７）の構成において、前記搬送部は、網目状の搬送ネットを有しており、この搬送ネット上に前記不織布シートを載置することができる。これにより、搬送部上に残る水を減らすことができる。その結果、不織布シートに残る水を減らすことができる。
【００１７】
（９）（８）の構成において、前記搬送部の下方に、前記搬送ネット上の前記不織布シートに噴射されたウォータージェットを吸引する吸引装置を設けることができる。これにより、不織布シートに噴射された水の多くを吸引装置で回収することができる。
【００１８】
（１０）（７）乃至（９）の構成において、前記回動部により無端回動される前記積層シートと、前記搬送部により搬送される前記不織布シートとの移動速度は等速に設定するのが好ましい。これにより、不織布シートに形成される模様の形状が崩れるのを防止できる。
【００１９】
本願発明の不織布シートの模様形成装置は、別の観点として、（１１）不織布シートにウォータージェットを噴射することにより模様を形成する不織布シートの模様形成装置であって、網目状のネットシートと、このネットシートに積層され、前記不織布シートに形成される模様に対応した形状の止水シートと、からなる積層シートと、前記積層シートにテンションを付与した状態で無端回動させる回動部と、前記積層シートの下方に配置され、前記回動部により無端回動される前記積層シートの移動方向に不織布シートを搬送する搬送部と、前記積層シートの前記止水シート側から前記通水開口部を介して前記搬送部上の前記不織布シートにウォータージェットを噴射するノズル部と、を有する。
【００２０】
（１２）（１１）の構成において、前記搬送部は、網目状の搬送ネットを有しており、この搬送ネット上に前記不織布シートを載置することができる。これにより、搬送部上に残る水を減らすことができる。その結果、不織布シートに残る水を減らすことができる。
【００２１】
（１３）（１２）の構成において、前記搬送部の下方に、前記搬送ネット上の前記不織布シートに噴射されたウォータージェットを吸引する吸引装置を設けることができる。これにより、不織布シートに噴射された水の多くを吸引装置で回収することができる。
【００２２】
（１４）（１１）乃至（１３）の構成において、前記回動部により無端回動される前記積層シートと、前記搬送部により搬送される前記不織布シートとの移動速度を等速に設定することができる。これにより、不織布シートに形成される模様の形状が崩れるのを防止できる。
【発明の効果】
【００２３】
本発明によれば、不織布シートに簡易な方法で種々の模様を施すことができる模様付き不織布シートの製造方法及び不織布シートの模様形成装置を提供することができる。
【図面の簡単な説明】
【００２４】
【図１】模様付き不織布シートの製造工程を示したフローチャートである。
【図２】不織布シートの模様形成装置の概略構成について説明する。
【図３】無端状ネット体の平面図である。
【図４】表示用止水シートの平面図である。
【図５】積層体のZ１矢視図である。
【図６】（A）は変形例１の表示用止水シートの平面図であり、（B）は、図５に対応しており、変形例１の表示用止水シートを無端状ネット体１５に貼りつけた状態を図示した平面図である。
【図７】（A）は第１の表示用止水シートの平面図であり、（B）は第２の表示用止水シートの平面図である。
【図８】第１及び第２の表示用止水シートを無端状ネット体に貼り付けた状態を図示している。
【発明を実施するための形態】
【００２５】
以下、本発明の一実施形態について図面を参照しながら説明する。
【００２６】
図１は、模様付き不織布シートの製造工程を示したフローチャートである。ここで不織布シートとは、繊維同士を織らずに重ね合わせて結合した布のことである。
【００２７】
図１を参照して、最初に、混打綿工程Ｐ１で、輸送や温度環境により硬くなった綿などの不織布シートをほぐし、綿内などに混入している不要な異物を取り除く。この工程で異物を取り除くことにより、後の工程で使用される装置の動作不良をなくし、また不良品の発生を低減させ、歩留まりを向上させることができる。
【００２８】
次に、カード工程Ｐ２で、繊維を一定方向に揃え、薄い膜を作るように繊維を集合させ、不織布シートを生成する。後の工程に備え繊維を均一に整える。
【００２９】
そして、脱脂工程Ｐ３で繊維の集合体に付着している余分な脂分を取り除く。これにより、美観に優れ、吸水性の良い繊維にすることができる。漂白工程Ｐ４で、繊維の集合体を漂白し白く綺麗な繊維にする。漂白工程P４後、主要工程である表示付工程Ｐ５で、ウォータージェットを不織布シートに噴射することにより、不織布シートの表面に模様を施す。次に、乾燥工程Ｐ６で、前工程により水分を含んだ不織布を乾燥させる。最後に、巻取り行程Ｐ７で、乾燥した不織布を巻取り、回収する。
【００３０】
次に、図２を参照して、不織布シートの模様形成装置の概略構成について説明する。図２は、不織布シートの模様形成装置をＸＺ面で切断した断面図である。
【００３１】
不織布シートの模様形成装置は、不織布シート１０、搬送用ネット１１、吸引装置１２、駆動ローラー１４A、従動ローラー１４B、テンションローラー１４C、無端状ネット体（ネットシート）１５、表示用止水シート（止水シート）１６、噴射ノズル１８を有する。不織布シート１０は搬送用ネット１１上に配置されており、噴射ノズル１８、駆動ローラー１４A、従動ローラー１４B、テンションローラー１４C、無端状ネット体１５、表示用止水シート１６は、不織布シート１０の上方に位置する。なお、X軸、Y軸及びZ軸は互い直交する異なる三軸を示している。搬送用ネット１１が駆動されると、不織布シート１０はX軸方向に搬送される。
【００３２】
図３は無端状ネット体１５の平面図であり、図４は表示用止水シート１６の平面図であり、説明を容易にするため簡略化して図示している。図３を参照して、無端状ネット体１５は、X軸方向に延びる縦糸（線状部材）をY軸方向に並べた縦糸群とY軸方向に延びる横糸（線状部材）をX軸方向に並べた横糸群とからなる。
【００３３】
噴射ノズル１８から無端状ネット体１５に噴射されたウォータージェットは、縦糸及び横糸の間に形成された隙間を通って、不織布シート１０に向かう。なお、本明細書では、不織布シート１０の搬送方向、つまり、Ｘ軸方向を縦方向と定義し、Y軸方向を横方向と定義する。
【００３４】
図４を参照して、表示用止水シート１６には、複数の通水開口部１６aが形成されている。これらの通水開口部１６aは、星型であり、マトリクス状に配されている。表示用止水シート１６には、水が透過しない非透水性の材料、例えば、プラスチックやゴムを用いることができる。また、表示用止水シート１６は、駆動ローラー１４A、従動ローラー１４B及びテンションローラー１４Cの曲面に沿って屈曲できるように、可撓性とするのが好ましい。
【００３５】
図２を参照して、これらの無端状ネット体１５及び表示用止水シート１６は、不織布シート１０の側からこの順序で積層されている。つまり、表示用止水シート１６は、無端状ネット体１５よりも噴射ノズル１８に近い領域に位置しており、無端状ネット体１５は、表示用止水シート１６よりも不織布シート１０に近い領域に位置している。
【００３６】
無端状ネット体１５及び表示用止水シート１６からなる積層体５について図５を参照して説明する。図５は、積層体５のZ１矢視図（図２参照）である。表示用止水シート１６は、無端状ネット体１５の表面に固定されている。固定方法としては、接着材による接着を用いることができる。ただし、他の方法であってもよい。この無端状ネット体１５により、表示用止水シート１６の通水開口部１６ａは覆われている。
【００３７】
上述の構成において、噴射ノズル１８を作動させると、噴射ノズル１８からウォータージェットが噴射される。この噴射されたウォータージェットは、その一部が通水開口部１６aを通過して星型に凝集された状態で不織布シート１０に向かい、その残りが表示用止水シート１６に衝突して不織布シート１０への移動が禁止される。
【００３８】
ここで、表示用止水シート１６を無端状ネット体１５に貼りつけた理由について、比較例を示して詳細に説明する。比較例は、無端状ネット体１５を省略して表示用止水シート１６のみを駆動ローラー１４A、従動ローラー１４B及びテンションローラー１４Cに掛け回した構成とする。
【００３９】
この比較例の構成において、噴射ノズル１８から噴射されたウォータージェットは、表示用止水シート１６の通水開口部１６ａを通水して、不織布シート１０に向かう。この際、通水開口部１６aの縁がウォータージェットに接触することにより下方に屈曲し、通水開口部１６aが拡大する。特に、通水開口部１６aの鋭部１６１aが大きく屈曲する。その結果、通水開口部１６aの開口形状が変形して、不織布シート１０に所望の形状（星型）を形成することができない。
【００４０】
これに対して、本実施形態では、表示用止水シート１６を無端状ネット体１５に貼りつけることにより、表示用止水シート１６を支持している。つまり、ウォータージェットの衝突により表示用止水シート１６が下方に押し込まれた際に、無端状ネット体１５から反受ける反力により、通水開口部１６aの縁が屈曲するのを抑制することができる。これにより、通水開口部１６ａの開口形状が変形するのを抑制でき、所望の形状（星型）を不織布シート１０に施すことができる。
【００４１】
さらに、無端状ネット体１５は、細径の線状部材により構成されているため、ウォータージェットが無端状ネット体１５を通過する際に、凝集した星型形状が崩れるのを抑制することができる。
【００４２】
ただし、ウォータージェットの衝突により屈曲した無端状ネット体１５が不織布シート１０に当接し、無端状ネット体１５のネット模様が不織布シート１０に転写される（模様に重畳される）おそれがある。この二次的な課題（本願発明の請求項２に対応した課題）を解決するために、無端状ネット体１５の縦糸及び横糸の条件を下記のように設定している。
【００４３】
ここで、縦糸及び横糸は、糸の直径が好ましくは０．５ｍｍ以下であり、糸の間隔が好ましくは５ｍｍ以下である。また、ウォータージェットの水圧は、好ましくは３０ｋｇ／ｃｍ２以下であり、より好ましくは２０ｋｇ／ｃｍ２以下である。
【００４４】
図２を参照して、駆動ローラー１４A、従動ローラー１４B、テンションローラー１４Cは、Y軸方向視において、三角形の頂点に対応した位置に配置されており、これらのローラー１４A〜１４Cの外周面には積層体５の無端状ネット体１５が掛け回されている。駆動ローラー１４Aは、図示しないモーターから伝達される駆動力によって回転駆動される。
【００４５】
駆動ローラー１４Aの回転動作に応じて、従動ローラー１４B及びテンションローラー１４Cが回転する。テンションローラー１４Cは弛んだ無端状ネット体１５と表示用止水シート１６とを間引き、テンションを一定にする。モーターの回転動作に応じて無端状ネット体１５及び表示用止水シート１６は一体的に無端回転する。駆動ローラー１４Aの回転速度は、搬送用ネット１１の搬送速度と等速である。
【００４６】
また、不織布シート１０及び搬送用ネット１１の下方には、吸引装置１２が設けられている。噴射ノズル１８及び吸引装置１２は、不織布シート１０及び搬送用ネット１１を挟んで対向しており、噴射ノズル１８から噴射されたウォータージェットは、表示用止水シート１６の通水開口部１６a、無端状ネット体１５、不織布シート１０及び搬送用ネット１１を通水した後に、吸引装置１２に吸引される。
【００４７】
（変形例）
上述の実施形態では、無端状ネット体１５を縦糸及び横糸で構成したが、これに限られるものではなく斜め糸で構成することもできる。ここで、斜め糸とは、Ｘ軸及びＹ軸方向に対して４５度の角度をなして水平方向に延びる糸のことであり、この斜め糸を水平方向に並べることにより無端状ネット体１５を構成することができる。
【００４８】
無端状ネット体１５を構成する斜め糸は、上述の実施形態と同様の条件で形成するのが好ましい。具体的には、糸の直径が０．５ｍｍ以下であり、糸の間隔が５ｍｍ以下である。また、ウォータージェットの水圧は、好ましくは３０ｋｇ／ｃｍ２以下であり、より好ましくは２０ｋｇ／ｃｍ２以下である。
【００４９】
上述の実施形態では、表示用止水シート１６の通水開口部１６ａを、星型に形成したが、これに限られるものではなく、他の形状（たとえば、三角形、平行四辺形）に形成することもできる。
【００５０】
表示用止水シートの変形例１について説明する。図６（A）は変形例１の表示用止水シート２７の平面図である。図６（B）は、図５に対応しており、変形例１の表示用止水シート２７を無端状ネット体１５に貼りつけた状態を図示している。なお、無端状ネット体１５の構成は、上記実施形態と同様である。表示用止水シート２７は星型に形成されている。表示用止水シート２７には、水が透過しない非透水性の材料、例えば、プラスチックやゴムを用いることができる。表示用止水シート２７は、Ｚ軸方向視において、マトリクス状に配されている。
【００５１】
変形例１の構成において、噴射ノズル１８から噴射されたウォータージェットは、その一部が表示用止水シート２７に衝突して不織布シート１０への移動が禁止され、その残りが無端状ネット体１５を通過して不織布シート１０に向かう。つまり、不織布シート１０のうち、表示用止水シート２７の直下に位置する領域以外の領域に、ウォータージェットが衝突し、不織布シート１０に星型の模様が形成される。
【００５２】
表示用止水シートの変形例２について説明する。図７（A）は第１の表示用止水シート４１の平面図であり、図７（B）は第２の表示用止水シート４２の平面図である。図８は、第１及び第２の表示用止水シート４１、４２を無端状ネット体１５に貼り付けた状態を図示している。
【００５３】
図７（A）を参照して、第１の表示用止水シート４１には、マトリクス状に複数の円形開口部４１aが形成されている。図７（B）を参照して、第２の表示用止水シート４２は、円形に形成されている。これらの第１及び第２の表示用止水シート４１、４２には、水が透過しない非透水性の材料、例えば、プラスチックやゴムを用いることができる。ここで、第１の表示用止水シート４１の円形開口部４１aの径寸法をR１、第２の表示用止水シート４２の径寸法をR２としたときにR１＞R２なる条件を満足している。
【００５４】
図８を参照して、第２の表示用止水シート４２は、各円形開口部４１aの中心に位置しており、第２の表示用止水シート４２と円形開口部４１aとの間には、隙間が形成されている。変形例２の構成では、噴射ノズル１８から噴射されたウォータージェットのうち、その一部は第２の表示用止水シート４２と円形開口部４１aとの隙間から不織布シート１０に向かい、残りは第１及び第２の表示用止水シート４１、４２に衝突することにより不織布シート１０への移動が禁止される。これにより、不織布シート１０に円形の模様を形成することができる。
【００５５】
表示用止水シートの形状は、上記実施形態、変形例１及び変形例２に限られるものではなく、不織布シート１０に形成される模様に応じた他の形状にすることもできる。この場合、上記実施形態と同様に止水性のシートに模様に応じた開口部を形成してもよいし、変形例１と同様に止水性シート自体を模様に応じた形状に形成してもよい。
【００５６】
上述の実施形態では不織布シート１０を移動させながら模様を施したが、これに限られるものではなく、不織布シート１０を停止させた状態で模様を施すこともできる。この場合、連続搬送装置として広く知られたウォーキングビームを用いて、噴射ノズル１８による噴射予定位置に不織布シート１０を連続的に搬送し、噴射予定位置にて不織布シート１０を停止させた状態で噴射ノズル１８による模様付け処理を行うことができる。
【００５７】
上述の実施形態では、ウォータージェットを不織布シートに噴射することにより模様付けを行ったが、本願発明は、高圧の気体を不織布シートに噴射して模様付けを行う方法にも応用することができる。このように、高圧の気体を不織布シートに噴射して模様付けを行う方法は、本願発明と均等な発明であり、本願発明の技術的範囲に属する。
【実施例】
【００５８】
以下、実施例を示して本発明について具体的に説明する。ここで、下記の表中に示す記号は、不織布シート１０についた糸の跡の判別状況から以下の通り定義した。なお、判別状況については、目視で確認した。
◎：判別が全く困難である
○：判別がややできる
△：鮮明さに劣るが、判別できる
×：鮮明に判別できる
また、判別結果が◎、○であれば合格と評価し、△、×であれば不合格と評価した。
【００５９】
表１では、縦糸及び横糸からなる無端状ネット体１５を使用した。また、ウォータージェットの水圧を３０ｋｇ／ｍ２に設定した。
【００６０】
【表１】
2010168676.tif 000003
【００６１】
表２では、糸の間隔を３．０ｍｍに固定して、水圧を１０ｋｇ／ｃｍ２、２０ｋｇ／ｃｍ２、３０ｋｇ／ｃｍ２の三段階に分けて噴射し、糸の跡を判別した。なお、表１と同様に、縦糸及び横糸からなる無端状ネット体１５を使用した。
【００６２】
【表２】
2010168676.tif 000004
【符号の説明】
【００６３】
Ｐ１：混打綿工程
Ｐ２：カード工程
Ｐ３：脱脂工程
Ｐ４：漂白工程
Ｐ５：表示付工程
Ｐ６：乾燥工程
Ｐ７：巻取り工程
１０：不織布シート
１１：搬送用ネット
１２：吸引装置
１３：ウォータージェット
１４A：駆動ローラー
１４B：従動ローラー
１４C：テンションローラー
１５：無端状ネット体
１６：止水シート
１８：噴射ノズル
【図１】
2010168676.tif 000005
【図２】
2010168676.tif 000006
【図３】
2010168676.tif 000007
【図４】
2010168676.tif 000008
【図５】
2010168676.tif 000009
【図６】
2010168676.tif 000010
【図７】
2010168676.tif 000011
【図８】
2010168676.tif 000012